(57)【特許請求の範囲】
【請求項１】
破砕した合せガラスをガラス片と中間膜に分離して回収する合せガラスの分離回収装置において、この分離回収装置は破砕した合せガラスを搬送する第１の搬送路と第２の搬送路を備え、これら搬送路は破砕した合せガラスが載置される面をガラス片が落下し得るメッシュ材にて構成し、また第１の搬送路及び第２の搬送路は別個に設置した加振装置にて振動可能とされ、更に第１の搬送路と第２の搬送路とは互いに反対方向に傾斜するとともに第１の搬送路の終端部が第２の搬送路上に臨んでいることを特徴とする合せガラスの分離回収装置。
【発明の詳細な説明】
【０００１】
【発明の属する技術分野】
本発明は自動車のフロントガラス等に用いる合せガラスの分離回収装置に関する。
【０００２】
【従来の技術】
自動車のフロントガラスや建築物の窓ガラスとして合せガラスが用いられている。この合せガラスは外側ガラス（例えば強化ガラス）と内側ガラス（例えば紫外線吸収ガラス）とを中間膜（例えばポリビニルブチラール）にて接合一体化したものである。
【０００３】
廃車などの際の資源の有効利用を考えた場合、ガラス（外側ガラスと内側ガラス）と樹脂（中間膜）とを分離回収する必要がある。しかしながら、ガラスを細かく破砕しても中間膜は破砕することはできず、中間膜に細かなガラス片が強固に接合されたままとなり簡単には分離できない。
【０００４】
そこで、ポリビニルブチラールの性質、即ち、水に接触すると水を吸って膨潤し接合力が極めて弱くなる性質を利用して分離する技術が特開平７−１７７４７号公報に提案されている。
【０００５】
特開平７−１７７４７号公報には、合せガラスに破砕した後、網状体内に破砕した合せガラスを入れて水中に浸漬し、所定時間経過後、網状体ごと水中から合せガラスを引き上げ、回収箱の上方で合わせガラスの一面側が下になるようにして網状体を上下に振動させ、下面に付着しているガラス片を回収箱内に落下させ、次いで網状体を反転させて合せガラスの他面側が下になるようにし、前記同様網状体を上下に振動させ、下面に付着しているガラス片を回収箱内に落下させるようにしている。
【０００６】
【発明が解決しようとする課題】
上述した先行技術に開示されるように、合せガラスを振動せしめれば膨潤した中間膜に付着しているガラス片を容易に分離することができる。しかしながら、上記先行技術にはどのようにして合せガラスを振動せしめるか、どのようにして網状体を反転せしめるかについての具体的な構造が提案されていない。
前後の工程を無視して合せガラスを振動せしめると、却って分離回収の効率が悪くなるおそれもある。また、人手によって合せガラスを反転していたのでは効率が悪い。
【０００７】
更に、合せガラスは外側ガラスと内側ガラスとの組成、特性、色などが異なっている場合が多い。このような場合は外側ガラスと内側ガラスについても別々に分離して回収できれば、リサイクルが楽になる。しかしながら、上述した先行技術では、１つの回収箱内に回収することしか示されておらず、外側ガラスと内側ガラスとを自動的に分離することができない。
【０００８】
【課題を解決するための手段】
上記の課題を解決するため、本発明に係る合せガラスの分離回収装置は、破砕した合せガラスを搬送する第１の搬送路と第２の搬送路を備え、これら搬送路は破砕した合せガラスが載置される面をガラス片が落下し得るメッシュ材にて構成し、また第１の搬送路及び第２の搬送路は別個に設置した加振装置にて振動可能とされ、更に第１の搬送路と第２の搬送路とは互いに反対方向に傾斜するとともに第１の搬送路の終端部が第２の搬送路上に臨む構成とした。
【０００９】
尚、前記第１の搬送路及び第２の搬送路をスプリングを介して基台上に支持すれば、振動が直接基台に伝わることなく、容易に搬送路を振動せしめることができる。
【００１０】
上記構成の分離回収装置により中間膜とガラス片とを分離回収するには、先ず中間膜を介して接合されている合せガラスを破砕し、次いで前記中間膜を含水せしめて膨潤させ、この後ガラスの破片が付着している膨潤した前記中間膜をメッシュ材からなる第１の搬送路上を搬送しつつ搬送路を振動せしめることで中間膜の下面に付着しているガラス片をメッシュ材を通して回収し、次いで第２の搬送路上にガラスの破片が付着している膨潤した中間膜を表裏反転せしめて移載し、第２の搬送路上を搬送しつつ搬送路を振動せしめることで中間膜の下面に付着しているガラス片をメッシュ材を通して回収する。
【００１１】
【発明の実施の形態】
以下に本発明の実施の形態を添付図面に基づいて説明する。図１は本発明に係る合せガラスの分離回収装置を適用した分離回収システムの全体図であり、分離回収システム１は合せガラスＧを破砕する破砕装置１０の下流側に水槽２０を連続して配置し、この水槽２０の下流側に分離回収装置３０を配置している。尚、破砕装置１０の近傍にはストッカー２を配置している。
【００１２】
破砕装置１０は送りローラ１１の終端に一対の破砕ローラ１２,１２を配置している。この破砕ローラ１２は表面にスパイク状の突起１３を千鳥状に多数植設してなり、破砕ローラ１２,１２間に送り込まれた合せガラスＧを細かく破砕する。尚、中間膜Ｐは破砕されないので、中間膜Ｐの表面に破砕された多数のガラス片が付着した状態の合せガラスＷになる。
【００１３】
また、中間膜Ｐの下面に付着しているガラス片の一部は重力によって分離するため、このガラス片をダクト状のガイド１４を介して破砕装置の底部に配置したボックス１５に回収するようにしている。
【００１４】
破砕装置１０に隣接する水槽２０内には多数のパレット２１が配置され、これらパレット２１はチェーン２２を駆動することで水槽２０内を循環する。水槽２０内には常温水若しくは温水を供給している。常温水（０〜２０℃）の場合には水槽内に２４時間合せガラスＷを浸漬しておく必要があるが、温水（８０℃）の場合には約１時間で十分に中間膜が膨潤する。したがって、水の温度に応じてパレット２１の移動速度を調整する。
なお、図示例では水槽を挙げたが、蒸気室或いはミスト室を用いることも可能である。
【００１５】
一方、水槽２０の下流側に隣接して配置される分離回収装置３０は、図２に示すように、第１の搬送路３１と第２の搬送路３２を備え、第１の搬送路３１は基台３３上にスプリング３４を介して下流側が若干下方に傾斜するように支持され、その終端は第２の搬送路３２の上方に臨み、更に第１の搬送路３１は加振装置３５に連結し、その搬送面は金網などのメッシュ材３６にて構成されている。
【００１６】
また、第１の搬送路３１の下方には回収ボックス３７が配置され、この回収ボックス３７に中間膜の一面側に付着していたガラス片を導くダクト状ガイド３８が第１の搬送路３１と回収ボックス３７との間に配置されている。
【００１７】
また、第２の搬送路３２は第１の搬送路３１とは逆方向に傾斜するように基台３９にスプリングを介して支持されし、その傾斜角度は第１の搬送路３１よりもきつくなっている。そして、第２の搬送路３２も搬送面は金網などのメッシュ材４０にて構成され、加振装置４１につながっている。
【００１８】
前記第２の搬送路３２の下方には中間膜の他面側に付着していたガラス片を受ける回収ボックス４２が配置され、第２の搬送路３２の下端は中間膜の回収ボックス４３に臨んでいる。
【００１９】
以上において、水槽２０から第１の搬送路３１のメッシュ材３６上に送り出された合せガラスＷは図３に示すように、振動により徐々に下流側に移動するとともに、中間膜Ｐの下面に残っているガラス片は下方に振い落され、ガイド３８を介してボックス３７内に回収される。
【００２０】
また、第１の搬送路３１から第２の搬送路３２に移る際に合せガラスＷは反転し、反転して下面となった面に付着していたガラス片がメッシュ材４０を通してボックス４２内に回収される。また、ガラス片が剥離した中間膜Ｐはボックス４３に回収される。
【００２１】
【発明の効果】
以上に説明したように本発明によれば、合せガラスを破砕した後、中間膜を膨潤せしめ、この中間膜からガラスを分離回収するにあたり、振動を与えるようにしたので容易に中間膜からガラス片を剥離することができる。
【００２２】
また、本発明によれば、搬送のための特別な駆動力を必要とせず、破砕された合せガラスに振動を与えることで、搬送路が傾斜しているので、自動的に合せガラスが移動する。また第１の搬送路から第２の搬送路に移る際に合せガラスが自ら反転するため、特別な装置を必要としない。したがって、コンパクトで分離回収効率の高い装置を提供することができる。
【図面の簡単な説明】
【図１】本発明に係る合せガラスの分離回収システムの全体図
【図２】分離回収装置の全体斜視図
【図３】分離回収装置の作用を説明した図
【符号の説明】
１…分離回収システム、２…ストッカー、１０…破砕装置、１１…送りローラ、１２…破砕ローラ、１３…突起、１４…ガイド、１５…回収ボックス、２０…水槽、２１…パレット、２２…チェーン、３０…分離回収装置、３１…第１の搬送路、３２…第２の搬送路、３３…基台、３４…スプリング、３５…加振装置、３６…メッシュ材、３７…回収ボックス、３８…ガイド、３９…基台、４０…メッシュ材、４１…加振装置、４２、４３…回収ボックス。
【図１】
0004514986.tif 000002
【図２】
0004514986.tif 000003
【図３】
0004514986.tif 000004